(57)【要約】【課題】収容するペット等の遺骨の大きさや形状あるいは量に柔軟に対応して変形することができ、骨を割ったり砕いたりすることなく、効率よく収容することができる遺骨用骨入れを提供する。【解決手段】柔軟性材料または変形性材料でつくられた袋体(1)を有し、袋体(1)は、有底円筒形状の収容部(2)と、収容部(2)の上端に設けられ端部に入れ口(31)を有する筒状の絞り部(3)を有し、絞り部(3)の入れ口(31)寄りには、入れ口(31)の開閉を行うための絞り紐(35)が周方向に通されており、収容部(2)と絞り部(3)は少なくとも内面側が耐熱性材料である内装(21)で形成されている。【選択図】図２
2010035961.tif 000002
【特許請求の範囲】
【請求項１】
遺骨を収容するための骨入れであって、
入れ口(31)を有し柔軟性材料または変形性材料でつくられた袋体(1)と、
袋体(1)の入れ口の開閉を行うための開閉手段(33,34,35)と、
を備えており、
袋体(1)は、少なくとも内面側が耐熱性材料または防燃性材料(21)である、
遺骨用骨入れ。
【請求項２】
遺骨を収容するための骨入れであって、
柔軟性材料または変形性材料でつくられた袋体(1)を有し、
袋体(1)は、有底円筒形状の収容部(2)と、収容部(2)の上端に設けられ端部に入れ口(31)を有する筒状の絞り部(3)を有し、
絞り部(3)の入れ口(31)寄りには、入れ口(31)の開閉を行うための絞り紐(35)が周方向に通されており、
収容部(2)と絞り部(3)は、少なくとも内面側が耐熱性材料または防燃性材料(21)である、
遺骨用骨入れ。
【発明の詳細な説明】
【技術分野】
【０００１】
本発明は、遺骨用骨入れに関するものである。更に詳しくは、収容する遺骨の大きさや形状に柔軟に対応して変形することができ、遺骨を割ったり砕いたりすることなく、効率よく収容することができるものに関する。
【背景技術】
【０００２】
例えば、ペットが死んだときは埋葬されることも多いが、近年においては火葬してその骨を遺骨として保存しておく飼い主も増えてきた。
従来は、遺骨を保存するために、人の遺骨と同様に骨壺が使用されていた。このようなペット用骨壺の一般的な例を次に示す（特許文献１参照）。
【０００３】
特許文献１に記載のペット用骨壺は、表面に凹部を形成した陶磁器製骨壷本体と、凹部に装着され表面に画像や文字を転写した陶磁器製プレートとを備えており、納骨後に、褪色しないペット画像を見栄え良く骨壷表面に施すことができるペット用骨壺である。
【０００４】
【特許文献１】特開２００２−２２４１７８
【発明の開示】
【発明が解決しようとする課題】
【０００５】
しかしながら、特許文献１に記載のペット用骨壺には次のような課題があった。
すなわち、骨壺は陶磁器製であり大きさが変えられないため、例えば火葬した骨が大きすぎたり量が多すぎて骨壺内部に収容できないときは、骨を割ったり砕かなければならないし、入りきれない分は捨てなければならない。特に、それが頭骨であれば、飼い主はそれをするのが忍びないのである。
【０００６】
（本発明の目的）
本発明は、収容する遺骨の大きさや形状あるいは量に柔軟に対応して変形することができ、遺骨を割ったり砕いたりすることなく、効率よく収容することができる遺骨用骨入れを提供することを目的とする。
【課題を解決するための手段】
【０００７】
上記課題を解決するために本発明が講じた手段は次のとおりである。
本発明は、
遺骨を収容するための骨入れであって、
入れ口を有し柔軟性材料または変形性材料でつくられた袋体と、
袋体の入れ口の開閉を行うための開閉手段と、
を備えており、
袋体は、少なくとも内面側が耐熱性材料または防燃性材料である、
遺骨用骨入れである。
【０００８】
本発明は、
遺骨を収容するための骨入れであって、
柔軟性材料または変形性材料でつくられた袋体を有し、
袋体は、有底円筒形状の収容部と、収容部の上端に設けられ端部に入れ口を有する筒状の絞り部を有し、
絞り部の入れ口寄りには、入れ口の開閉を行うための絞り紐が周方向に通されており、
収容部と絞り部は、少なくとも内面側が耐熱性材料または防燃性材料である、
遺骨用骨入れである。
【０００９】
袋体の内面側または収容部と絞り部の内面側を耐熱性材料または防燃性材料とする構造は、例えば内面側だけを前記構造としてもよいし、内面側と共に外面側を前記構造としてもよい。また、袋体または収容部と絞り部は、それぞれ表裏を一体的に同じ材料で形成してもよいし、表裏を別の層として異なる材料で形成してもよい。
【００１０】
（作用）
本発明に係る遺骨用骨入れの作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１１】
遺骨用骨入れ(A)は、入れ口(31)を開けて、入れ口(31)からペット等の遺骨を収容することができ、絞り紐(35)等の開閉手段によって入れ口(31)を閉じる。袋体(1)の内面側は耐熱性材料(21)で形成されているので、まだ熱い遺骨を入れても支障はない。
遺骨用骨入れ(A)は、袋体(1)が柔軟性材料または変形性材料でつくられており、ペット等の遺骨を収容したとき、従来の硬い骨壺などでは入らないような形状の骨でも、袋体(1)が変形することで形状を合わせることができるので、収容することができるようになる。
【００１２】
また、同様の理由で、容積が同程度の骨壺より多くの量の骨を収容することができるようになり、ペット等の遺骨の量が比較的多い場合も効率よく収容できる。これによって、従来の骨壺のように、入りきれない頭骨等の大きな骨を割ったり砕かなければならない不都合を生じることはなく、骨を捨てなくてもよくなるか、あるいは捨てる場合も、より少なくすることができる。
【００１３】
また、遺骨用骨入れは、全体を折り畳むようにして変形させることができるので収容性に優れており、例えば薄い箱に収容して包装する等の販売形態をとることができ、嵩張らずスペース効率がよい。
【発明の効果】
【００１４】
本発明に係る遺骨用骨入れは、収容するペット等の遺骨の大きさや形状あるいは量に柔軟に対応して変形することができ、遺骨を割ったり砕いたりすることなく、効率よく収容することができる。
【発明を実施するための最良の形態】
【００１５】
本発明を図面に示した実施の形態に基づき詳細に説明する。
図１は本発明に係る遺骨用骨入れの構造を示し上部を開けた状態の斜視説明図、
図２は遺骨用骨入れに骨を収容している状態を示す縦断面説明図、
図３は遺骨用骨入れに骨を収容し上部を閉じている状態の斜視説明図である。
【００１６】
遺骨用骨入れＡは、ペット等の遺骨を収容するための骨入れであり自立性を有する。なお、遺骨用骨入れＡは、ペットのような小動物以外の遺骨、例えば人の遺骨を収容するものとして使用することもできる。
【００１７】
遺骨用骨入れＡは、袋体１を備えている。袋体１は、全体が柔軟性材料または変形性材料でつくられており、折り畳みが自在である。
袋体１は、一連につくられた収容部２及び絞り部３を有している。収容部２は、有底円筒形状であり、外部側は柔軟性を有する（または非硬質の）布製の収容部外装２０で形成され、内部側は変形性を有し耐熱性材料または防燃性材料である金属箔製の内装２１で形成されている。なお、内装２１は後述する絞り部３の内側まで延長されている。
【００１８】
収容部外装２０及び内装２１は、それぞれ円形の底片と円筒形の側片を縫い合わせて形成されているが、収容部外装２０及び内装２１の縫製の方法（構造）については特に限定するものではない。また、収容部２において底部側には、収容部外装２０と内装２１の間にアルミニウム製で円板状の補強板２４が入れられている。補強板２４の直径は、内装２１底部径よりやや小さく形成されており、骨を入れたときに収容部２（特に底部）が型くずれしないようにするものである。
【００１９】
収容部外装２０の上部側は、フリルやネット、リボンで構成される装飾部２２で飾られている。なお、装飾部２２は、後述する装飾部３２を含め、どのようなものを使用して飾るかは任意であり、限定されるものではない。また、収容部外装２０において、リボンの下側には名入れ部２３が設けられている。名入れ部２３は、透明な合成樹脂シートを側部の一辺を残し三辺を縫い付けて形成されており、縫い付けられていない部分が入れ口（符号省略）となっている。
【００２０】
内装２１の金属箔はステンレス箔であり、その厚さは、本実施の形態では０．１ｍｍに設定されており、容易には破断しない強度と、十分な変形性を兼ね備えている。なお、金属箔の種類及び厚さは前記に限定されるものではなく、同様の機能性を有するものであれば適宜設定ができる。
【００２１】
絞り部３は、収容部外装２０の上縁部に連設されている絞り部外装３０を有している。絞り部３は、この絞り部外装３０と、前記内装２１において絞り部外装３０内側まで延長された部分（符号は省略）で構成されている。絞り部外装３０は、柔軟性を有する防水性材料で筒状に形成され、上部には入れ口３１が形成されている。内装２１の上縁部は、入れ口３１の縁部において、絞り部外装３０と全周にわたり縫い付けられている。また、絞り部外装３０において、入れ口３１の縁部はフリルで構成された装飾部３２で飾られている。
【００２２】
また、絞り部外装３０において、入れ口３１寄りには、全周に渡り紐通し部３３が形成されている。紐通し部３３には、相対向する二箇所に通し穴３４が形成されている。紐通し部３３には、二本の絞り紐３５が通されている。各絞り紐３５は、各通し穴３４から外部に出された両端部を結んで形成された結びこぶ３５０を有しており、これによりループ状に形成されている。紐通し部３３、通し穴３４及び各絞り紐３５は、開閉手段を構成している。
【００２３】
（作用）
図１ないし図３を参照して、遺骨用骨入れＡの作用を説明する。なお、遺骨用骨入れＡは、例えば小型犬（猫）用の「小」、中型犬用の「中」、大型犬用の「大」等、あらかじめいくつかのサイズを設定しておくことができる。各サイズのものは、互いに相似形であってもよいし相似形でなくてもよい。
【００２４】
遺骨用骨入れＡの絞り部３の各絞り紐３５を緩め、上部に設けられている入れ口３１を開けておき（図１参照）、入れ口３１からペットの遺骨４を収容する。遺骨４は、収容部２及び絞り部３の内部に収容される（図２参照）。その後、各絞り紐３５を引き絞って端部を結び、入れ口３１を閉じる（図３参照）。
【００２５】
袋体１の内面側は、耐熱性材料で形成された内装２１であるので、まだ熱い遺骨を入れても支障はないが、ある程度冷えてから収容するのが好ましい。遺骨用骨入れＡは、袋体１、すなわち収容部２及び絞り部３が柔軟性材料または変形性材料でつくられており、ペットの遺骨４を収容したとき、従来の硬い骨壺などでは入らないような形状の骨でも、袋体１が変形することで形状を合わせることができるので、収容することができるようになる。
【００２６】
また、同様の理由で、遺骨用骨入れＡには、容積が同程度の骨壺より多くの量の骨を収容することができるようになり、ペット等の遺骨の量が比較的多い場合でも効率よく収容できる。これによって、従来の骨壺のように、入りきれない頭骨等の大きな骨を割ったり砕かなければならない不都合を生じることはなく、骨を捨てなくてもよくなるか、あるいは捨てる場合も、より少なくすることができる。
【００２７】
また、遺骨用骨入れＡは全体を折り畳むようにして変形させることができるので収容性に優れており、例えば薄い箱に収容して包装する等の販売形態をとることができ、嵩張らずスペース効率がよい。名入れ部２３には、ペットの名前を書いた名札２３０等を入れておくことができる。
【００２８】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００２９】
【図１】本発明に係る遺骨用骨入れの構造を示し上部を開けた状態の斜視説明図。
【図２】遺骨用骨入れに骨を収容している状態を示す縦断面説明図。
【図３】遺骨用骨入れに骨を収容し上部を閉じている状態の斜視説明図。
【符号の説明】
【００３０】
Ａ  遺骨用骨入れ
１  袋体
２  収容部
２０  収容部外装
２１  内装
２２  装飾部
２３  名入れ部
２３０  名札
２４  補強板
３  絞り部
３０  絞り部外装
３１  入れ口
３２  装飾部
３３  紐通し部
３４  通し穴
３５  絞り紐
３５０  結びこぶ
【図１】
2010035961.tif 000003
【図３】
2010035961.tif 000004
【図２】
2010035961.tif 000005